(57)【要約】【課題】軽量床衝撃音及び重量床衝撃音の双方について低減することができる二重床構造を提供することを課題としている。【解決手段】鉄筋コンクリート造の建物２におけるスラブ２１と、スラブ２１の上側に設けた床構成部３とを備え、床構成部３は複数の大引き３１と、各大引き３１の上側に配置された板状部３２とを備え、各大引き３１は長手方向の両端部がスラブ２１の上面に支持部材３３を介して設置され、各支持部材３３は建物２の壁２２の近傍、スラブ２１を下方から支える梁２３に対応する部位の近傍及び梁２３に対応する部位の何れかの位置に配置された構成になっている。【選択図】図１
2018109306.tif 000002
【特許請求の範囲】
【請求項１】
鉄筋コンクリート造の建物におけるスラブと、このスラブの上側に設けた床構成部とを備えた二重床構造であって、
前記床構成部は、複数の大引きと、これらの大引きの上側に配置された板状部とを少なくとも備えており、
前記各大引きは、長手方向の両端部が前記スラブの上面に支持部材を介して設置され、
前記各支持部材は、前記建物の壁の近傍、前記スラブを下方から支える梁に対応する部位の近傍及び当該梁に対応する部位の何れかの位置に配置されていることを特徴とする二重床構造。
【請求項２】
前記支持部材は、弾性支持部材によって構成されていることを特徴とする請求項１に記載の二重床構造。
【請求項３】
前記弾性支持部材は、ゴム弾性を有するもので構成されていることを特徴とする請求項２に記載の二重床構造。
【請求項４】
前記各大引きは、Ｈ形鋼、溝形鋼、角形鋼管又は断面四角形状の木質系の集成材によって構成されていることを特徴とする請求項１〜３の何れかに記載の二重床構造。
【請求項５】
前記各大引きは、その長手方向の中央部に、重量加振源による衝撃荷重に相当する荷重が下方に作用した状態において、当該中央部における撓みが１〜５ｍｍとなるような曲げ剛性を有していることを特徴とする請求項１〜４の何れかに記載の二重床構造。
【請求項６】
前記各大引きは、その長手方向の中央部に、重量加振源による衝撃荷重に相当する荷重が下方に作用した状態において、長手方向の各端部における撓み角が０．１〜０．５°となるような曲げ剛性を有していることを特徴とする請求項１〜５の何れかに記載の二重床構造。
【請求項７】
前記スラブの上には、前記支持部材を除く部分に、防音材が設けられていることを特徴とする請求項１〜６の何れかに記載の二重床構造。
【発明の詳細な説明】
【技術分野】
【０００１】
本発明は、鉄筋コンクリート造の建物におけるスラブと、このスラブの上側の床構成部とを備えた二重床構造に関するものである。
【背景技術】
【０００２】
この種の二重床構造としては、鉄筋コンクリート造のスラブと、このスラブの上に設けた複数の根太及びその上に設けた板状部を有する床構成部とを備えたものが知られている。
【０００３】
このような二重床構造においては、物の落下や、足を踏み込んだ際等に生じる衝撃荷重が板状部に作用することで当該板状部が振動し、この振動が根太を介してスラブに伝達し、このスラブの振動が階下の部屋に騒音となって現れることから、この騒音が上下の各階におけるトラブルの原因になることがあるという問題があった。
【０００４】
このため、図７に示すように、スラブ１０１の上に設けた複数の支持棒１０３で各根太１０２を支持し、かつ各支持棒１０３として防振ゴム１０３ａを有するもので構成することにより、板状部１０４に発生した振動を防振ゴム１０３ａで吸収するように構成したものが開発されてきている（例えば、特許文献１）。
【０００５】
なお、支持棒１０３についてはスラブ１０１の上面に平均的に分布するように設けると共に、防振ゴム１０３ａについては上下方向の弾性変形量が所定の範囲に抑えられたものを用いることにより、床が上下に変位するのを所定の範囲内に抑え、これにより当該床が不安定な感じとなるのを防止するようになっている。
【０００６】
即ち、図７に示すような従来の二重床構造においては、例えばスプーン等の軽量物の落下によって生じるようないわゆる軽量衝撃荷重が板状部１０４に作用した場合には、その荷重によって板状部１０４が振動し、その振動が根太１０２、支持棒１０３、防振ゴム１０３ａを介してスラブ１０１に伝わることになる。
【０００７】
この場合の板状部１０４に生じる振動は、エネルギ及び振幅が小さく、かつ高周波成分を多く含んでいることから、防振ゴム１０３ａとして弾性変形量の小さなものを用いていても、その振動を当該防振ゴム１０３ａで比較的効率よく吸収することができる。このため、スラブ１０１に伝わる振動を低減することができるので、階下の部屋における騒音の低減を図ることができる。即ち、軽量床衝撃音についてはある程度の低減効果が認められていた。
【０００８】
一方、大人が大股で無造作に歩く際や、子供が駆け回ったり、跳び跳ねたりする際等の重量物の落下によって生じるようないわゆる重量衝撃荷重が板状部１０４に作用した場合には、軽量衝撃荷重の場合に比較して、板状部１０４が大きく振動することになる。
【０００９】
即ち、重量衝撃荷重に起因する板状部１０４の振動は、エネルギ及び振幅が大きくかつ低周波成分を多く含んだものとなることから、弾性変形量の小さな防振ゴム１０３ａではその振動をほとんど吸収することができない。このため、図７に示すように、板状部１０４に作用した重量衝撃荷重Ｐは根太１０２、支持棒１０３及び防振ゴム１０３ａを介してスラブ１０１にほぼそのまま伝わることになる。
【００１０】
この場合、重量衝撃荷重Ｐがスラブ１０１の中央部（即ち、スラブ１０１を支持する壁１０５や梁（図示せず）等の主要支持構造物の間の中央部）に作用すると、そのスラブ１０１の中央部には最大曲げモーメントが発生することになるので、当該スラブ１０１が大きく撓むように振動することになる。
【００１１】
従って、重量物が板状部に落下するような場合には、防振ゴム１０３ａがあってもスラブ１０１の振動をほとんど防止することができず、その振動が階下の部屋に大きな騒音となって現れることになる。即ち、重量床衝撃音については、低減することが困難であった。
【先行技術文献】
【特許文献】
【００１２】
【特許文献１】特開平０８−０１３７５２号公報
【発明の概要】
【発明が解決しようとする課題】
【００１３】
本発明は、上記事情に鑑みてなされたものであり、軽量床衝撃音及び重量床衝撃音の双方について低減することができる二重床構造を提供することを課題としている。
【課題を解決するための手段】
【００１４】
上記課題を解決するために、請求項１に記載の発明は、鉄筋コンクリート造の建物におけるスラブと、このスラブの上側に設けた床構成部とを備えた二重床構造であって、前記床構成部は、複数の大引きと、これらの大引きの上側に配置された板状部とを少なくとも備えており、前記各大引きは、長手方向の両端部が前記スラブの上面に支持部材を介して設置され、前記各支持部材は、前記建物の壁の近傍、前記スラブを下方から支える梁に対応する部位の近傍及び当該梁に対応する部位の何れかの位置に配置されていることを特徴としている。
【００１５】
請求項２に記載の発明は、請求項１に記載の発明において、前記支持部材は、弾性支持部材によって構成されていることを特徴としている。
【００１６】
請求項３に記載の発明は、請求項２に記載の発明において、前記弾性支持部材は、ゴム弾性を有するもので構成されていることを特徴としている。
【００１７】
請求項４に記載の発明は、請求項１〜３の何れかに記載の発明において、前記各大引きは、Ｈ形鋼、溝形鋼、角形鋼管又は断面四角形状の木質系の集成材によって構成されていることを特徴としている。
【００１８】
請求項５に記載の発明は、請求項１〜４の何れかに記載の発明において、前記各大引きは、その長手方向の中央部に、重量加振源による衝撃荷重に相当する荷重が下方に作用した状態において、当該中央部における撓みが１〜５ｍｍとなるような曲げ剛性を有していることを特徴としている。
【００１９】
請求項６に記載の発明は、請求項１〜５の何れかに記載の発明において、前記各大引きは、その長手方向の中央部に、重量加振源による衝撃荷重に相当する荷重が下方に作用した状態において、長手方向の各端部における撓み角が０．１〜０．５°となるような曲げ剛性を有していることを特徴としている。
【００２０】
請求項７に記載の発明は、請求項１〜６の何れかに記載の発明において、前記スラブの上には、前記支持部材を除く部分に、防音材が設けられていることを特徴している。
【発明の効果】
【００２１】
請求項１に記載の発明によれば、床構成部が複数の大引きと、これらの上側に配置された板状部とを少なくとも備えた構成になっているので、スプーン等の軽量物の落下によって生じる軽量衝撃荷重についても、子供が飛び跳ねて降りる際等の重量物の落下によって生じる重量衝撃荷重についても、まず板状部に作用することになる。
【００２２】
板状部に作用した荷重は、大引きに伝わり、当該大引きの両端部から各支持部材を介してスラブに伝達されることになる。この場合、各支持部材は、前記建物の壁の近傍、前記スラブを下方から支える梁に対応する部位の近傍及び当該梁に対応する部位の何れかのスラブの上面の位置に配置されているので、各支持部材に伝達された荷重はスラブにほとんど曲げモーメントを作用させることなく、壁や梁に伝達された後、最終的には鉄筋コンクリート造の建物の基礎部を介して地中に吸収されることになる。
【００２３】
即ち、板状部に作用した軽量衝撃荷重、重量衝撃荷重その他の全ての荷重は、地中へと移行する過程で、スラブに曲げモーメントを作用させることがほとんどないので、この曲げモーメントに基づいてスラブが振動するのを防止することができる。
【００２４】
従って、スラブの下側の部屋に生じる軽量床衝撃音及び重量床衝撃音の双方及びその他の種類、大きさ等の衝撃音について、有効に低減することができる。しかも、従来用いていた複数の支持棒が不要になるので、施工コストの低減及び施工期間の短縮等を図ることができる。
【００２５】
また、例えば畳の部屋をフローリングの部屋に変更するような場合には、通常、軽量床衝撃音及び重量床衝撃音が増加することになるが、当該発明を適用することにより、フローリングに変更した後でも、畳の場合以上に軽量床衝撃音及び重量床衝撃音等を低減することができる。
【００２６】
そして特に、旧タイプの鉄筋コンクリート造の建物のようにスラブが比較的薄い構造の建物においては、軽量床衝撃音及び重量床衝撃音を低減することで各部屋の品質の向上を図ることができると共に、畳の部屋からフローリングの部屋への変更も自由に行うことができるという利点がある。
【００２７】
請求項２に記載の発明によれば、支持部材が弾性支持部材によって構成されているので、特に軽量衝撃荷重の振動について、弾性支持部材で吸収することができる。即ち、軽量床衝撃音を更に低減することができる。なお、弾性支持部材としては、ゴム弾性を有するものでも、ばね弾性を有するものであってもよい。
【００２８】
請求項３に記載の発明によれば、弾性支持部材がゴム弾性を有するもので構成されているので、その弾性支持部材を例えば所定の厚さのゴム製の板によって構成することができる。即ち、弾性支持部材を簡単な構造のもので構成することができるので、更にコストの低減を図ることができる。
【００２９】
請求項４に記載の発明によれば、各大引きがＨ形鋼、溝形鋼、角形鋼管又は断面四角形状の木質系の集成材によって構成されているので、各大引きについて上下方向の断面二次モーメントの極めて大きなものを得ることができる。即ち、各大引きについて曲げ剛性の大きなもので構成することができるので、大引きの長手方向の中央部に重量衝撃荷重が作用し、当該大引きに最大曲げモーメントが作用しても、当該大引きの下方への撓みを所定の値以下に抑えることができる。即ち、床構成部の上下方向の変位によって住人が不安定に感じるのを確実に防止することができる。
【００３０】
また、各大引きについては、長手方向の全体が湾曲するように撓むことになるので、その大引き自体の弾性変形によって大きなエネルギを吸収することができる。従って、重量床衝撃音を低減する上で効果があると共に、各大引きの耐久性の向上を図ることもできる。
【００３１】
請求項５に記載の発明によれば、各大引きの長手方向の中央部に、重量加振源による衝撃荷重に相当する荷重（即ち、重量衝撃荷重）が下方に作用した状態において、当該中央部における撓みが１〜５ｍｍとなるような曲げ剛性を有するように、各大引きを構成しているので、床構成部について剛性の高い安定した感覚を住人に与えることができると共に、その撓みによる大きな弾性変形エネルギの吸収作用により重量床衝撃音の低減を図ることができると共に、各大引きの耐久性の向上を図ることができる。
【００３２】
なお、撓みを１〜５ｍｍとしたのは、１ｍｍ未満であると撓みに基づく弾性変形によるエネルギの吸収量が小さくなるからであり、５ｍｍを超えると床構成部の剛性感が失われ不安定に感じられることになるからである。
【００３３】
請求項６に記載の発明によれば、各大引きの長手方向の中央部に、重量加振源による衝撃荷重に相当する荷重（即ち、重量衝撃荷重）が下方に作用した状態において、長手方向の各端部における撓み角が０．１〜０．５°となるような曲げ剛性を有するように、各大引きを構成しているので、床構成部について剛性の高い安定した感覚を住人に与えることができると共に、その撓み角に基づく弾性変形エネルギの吸収作用により重量床衝撃音を低減することができると共に、各大引きの耐久性の向上を図ることができる。
【００３４】
なお、上記撓み角を０．１〜０．５°としたのは、０．１°未満であると撓み角に基づく弾性変形によるエネルギの吸収量が小さくなるからであり、０．５°を超えると床構成部の剛性感が失われ不安定に感じられることになるからである。
【００３５】
請求項７に記載の発明によれば、スラブの上には、支持部材を除く部分に、防音材が設けられているので、床構成部に発生した振動が空気を介してスラブに伝わるのも防止することができる。従って、階下の部屋に現れる軽量床衝撃音及び重量床衝撃音等を更に低減することができる。
【００３６】
しかも、各支持部材はスラブ上面における各大引きの両端部に対応する位置にのみ存在するので、防音材をスラブ上のほぼ全面わたって容易に敷き詰めることができる。従って、防音材の施工コストの低減及び施工期間の短縮を図ることができる。
【図面の簡単な説明】
【００３７】
【図１】本発明の一実施形態として示した二重床構造の要部断面図である。
【図２】同二重床構造を示す要部平面図である。
【図３】同二重床構造における大引きの一方の端部に対応する部分を示す要部断面図である。
【図４】同二重床構造における大引きについて支持部材を介してスラブに取り付けた状態を示す図であって、（ａ）は接着剤等を介して大引き、支持部材及びスラブを連結した状態を示す要部断面図であり、（ｂ）はアンカーボルト及びナットを介して大引き、支持部材及びスラブを連結した状態を示す要部断面図である。
【図５】同二重床構造における大引きを示す図であって、（ａ）は大引きの長手方向の中央部に荷重が作用する前の状態を示す説明図であり、（ｂ）は大引きの長手方向の中央部に荷重が作用した後の状態を示す説明図であり、（ｃ）は大引きの断面図である。
【図６】同二重床構造の実施例及び従来例についての軽量床衝撃音及び重量床衝撃音の測定結果であり、（ａ）は実施例の軽量床衝撃音の測定結果であり、（ｂ）は同実施例の重量床衝撃音の測定結果であり、（ｃ）は従来例の軽量床衝撃音の測定結果であり、（ｄ）は同従来例の重量床衝撃音の測定結果である。
【図７】従来例として示した二重床構造の要部断面図である。
【発明を実施するための形態】
【００３８】
本発明を実施するための形態を、実施形態に基づいて詳細に説明する。
【００３９】
本発明の一実施形態として示す二重床構造１は、図１〜図５に示すように、鉄筋コンクリート造の集合住宅（建物）２におけるスラブ２１と、このスラブ２１の上側に配置された床構成部３とを備えている。
【００４０】
床構成部３は、複数の大引き３１と、これらの大引き３１の上側に配置された板状部３２と、各大引き３１における長手方向の各端部を支持すべくスラブ２１の上面に配置された支持部材３３とを備えている。各支持部材３３は、建物２の外壁（壁）２２の近傍のスラブ２１の上面及びスラブ２１を下方から支える梁２３に対応する部位のスラブ２１の上面（即ち、スラブ２１における梁２３の真上の部位）に配置されている。
【００４１】
スラブ２１は、床構成部３による二重床構造１を構成する部分が、図２に示すように、外壁２２と、これに平行に延在する梁２３と、外壁２２及び梁２３と直交し各住戸を区切る戸境壁２４によって少なくとも保持されている。この場合、スラブ２１は水平方向に延在し、外壁２２及び戸境壁２４は垂直方向に延在していることはいうまでもない。なお、各住戸のスラブ２１の全体は、その周縁部が外壁２２及び戸境壁２４等によって保持され、その中間部が梁２３やその他の梁等によって下方から支持されるようになっている。
【００４２】
床構成部３は、スラブ２１における図２の斜線で示される部分であって、外壁２２と梁２３との間における戸境壁２４に沿う約６畳の範囲に構成されている。この約６畳の部分は、外壁２２と梁２３との間の方向に長い長方形状をしており、もともとは畳による６畳の部屋であったものである。
【００４３】
大引き３１は、図５（ｃ）に示すように、平行に配置された上下のフランジ３１ａ、３１ａの幅方向の中央部をウエブ３１ｂで一体的に連結してなるＨ形鋼によって形成されたものであり、図５（ｃ）に示すように、全長Ｌが３５００ｍｍのもので構成されている。
【００４４】
また、断面寸法については、各フランジ３１ａの幅Ｗが１００ｍｍ、各フランジ３１ａの厚さＴ２が８ｍｍ、ウエブ３１ｂ方向の高さＨが１００ｍｍ、ウエブ３１ｂの厚さＴ１が６ｍｍとなっている。
【００４５】
この断面の上下方向の中央における水平軸Ｃ回りの断面二次モーメントは、３．６９×１０６ｍｍ４である。この大引き３１は、この例においては６本のものが所定の間隔をおいて平行に設けられている。なお、大引き３１として用いたＨ形鋼の縦弾性係数は、０．２０５８×１０６Ｎ／ｍｍ２である。
【００４６】
因みに、大引き３１の水平軸Ｃ回りの断面二次モーメントは、次の１式により求めることができる。Ｉは断面二次モーメントである。
Ｉ＝（ＷＨ３−（Ｗ−（Ｔ１））（Ｈ−２（Ｔ２））３）／１２…（１式）
【００４７】
また、大引き３１は、その長手方向の中央（Ｌ／２＝１７５０ｍｍの位置）の部分に、重量加振源による衝撃荷重に相当する荷重Ｐ（４０００Ｎ）が下方に作用した状態において、当該中央（Ｌ／２）の部分における撓みδが４．７０ｍｍ、長手方向の各端（L＝０ｍｍ及びＬ＝３５００ｍｍの各位置）の部分における撓み角θが４．０３×１０−３rad＝０．２３１°となるようになっている。
【００４８】
なお、荷重Pの４０００Ｎの値は、「Epistulaえぴすとら」第４８号平成２２年１月独立行政法人建築研究所発行における「集合住宅の床衝撃音遮断性能の向上に向けた取り組み」の項において、「タイヤ衝撃源（一般には「バングマシン」の商品名で市販されています。）」という記載があり、この記載の次の頁の「２種類の標準重量衝撃源の対応に関する取り組み」の項において、「衝撃力ピーク値がタイヤ衝撃源では約４０００Ｎ」という記載及びその衝撃力を示す「図１」があること、そして上記「バングマシン」が後述の実験で用いた重量床衝撃音発生装置（バングマシン）に相当することに基づくものである。
【００４９】
因みに、単純梁の長手方向の中央部に荷重Ｐが作用した場合の撓みδ及び撓み角θを求める計算式は次の２式〜４式の通りである。
δ＝ＰＬ３／４８ＥＩ（ｍｍ）  …（２式）
θ＝ＰＬ２／１６ＥＩ（rad）  …（３式）
１（rad）＝１８０／π（°）  …（４式）
なお、Eは縦弾性係数である。
【００５０】
なお、撓みδ及び撓み角θは、荷重Ｐが同一でも、大引き３１の断面二次モーメントＩ、全長Ｌ及び縦弾性係数Ｅによって変化することになるが、δ＝１〜５ｍｍ、θ＝０．１〜０．５°となるように、大引き３１の断面二次モーメントＩ、全長Ｌ及び縦弾性係数Ｅを設定することが好ましい。即ち、各大引き３１については、長手方向の中央部に上方から荷重P（４０００Ｎ）が作用した場合に、撓みδ１〜５ｍｍ、撓み角θ＝０．１〜０．５°となるような曲げ剛性を有するもので構成することが好ましい。
【００５１】
ここで、撓みδを１〜５ｍｍとすることが好ましいのは、１ｍｍ未満であると撓みδに基づく弾性変形によるエネルギの吸収量が小さくなるからであり、５ｍｍを超えると床構成部３の剛性感が次第に失われることになり、不安定に感じる人が出てくることになるからである。また、撓み角θを０．１〜０．５°とすることが好ましいのは、０．１°未満であると撓み角θに基づく弾性変形によるエネルギの吸収量が小さくなるからであり、０．５°を超えると床構成部３の剛性感が次第に失われることになり、不安定に感じる人が出てくることになるからである。
【００５２】
板状部３２は、図３に示すように、厚さ１２ｍｍのベニヤ合板からなる下地材３２ａと、その下地材３２ａの上に載置された８．７ｍｍの床仕上げ材３２ｂとによって構成されている。下地材３２ａは、両面テープや、接着剤によって、大引き３１における上側のフランジ３１ａの上面に固定されるようになっている。
【００５３】
床仕上げ材３２ｂは、擦り傷や凹み傷が付きにくい樹脂製の複数のクッション付きフローリングによって構成されており、両面テープや、接着剤によって、下地材３２ａの上面に固定されるようになっている。この床仕上げ材３２ｂは、損傷したクッション付きフローリングのみを張替ることが可能になっている。
【００５４】
支持部材３３は、ゴム弾性を有する弾性支持部材によって構成されている。即ち、支持部材３３は、一辺が１００ｍｍの正方形状をし、厚さが２０ｍｍで、硬度が７８のゴム製の防音マットによって形成されている。この支持部材３３については、図４（ａ）に示すように、スラブ２１の上面及び大引き３１における下側のフランジ３１ａの下面に両面テープや、接着剤によって固定されるようになっている。
【００５５】
なお、図４（ｂ）に示すように、スラブ２１にアンカーボルト３３ａを固定し、このアンカーボルト３３ａに螺合するナット３３ｂによって、支持部材３３及び大引き３１の下側のフランジ３１ａをスラブ２１に所定の圧力で押し付けるようにして、当該支持部材３３及び下側のフランジ３１ａをスラブ２１に固定するようにしてもよい。この場合には、支持部材３３及び下側のフランジ３１ａに、アンカーボルト３３ａを通す一対の貫通孔（図示せず）を形成することになる。
【００５６】
また、支持部材３３は、１００ｍｍ×１００ｍｍの所定の面積をもって大引き３１の各端部を支持することになるが、この支持部材３３の支持範囲は大引き３１の長手方向における極めて短い範囲となる。このため、大引き３１の撓みδ、撓み角θの検討（理論計算等）に当たっては、図５（ａ）及び（ｂ）に示すように、支持面積のない単純支持となるように、支持部材３３をモデル化している。
【００５７】
更に、スラブ２１の上には、図１及び図２に示すように、支持部材３３を除く部分に、防音材４が設けられている。この防音材４は、繊維質性、多孔質性、気密性、音の反射性等に基づく防音特性などの特質を有する材質のものうち、少なくとも何れか一つの特質を有する材質のものを単独で又は複数重ねるように設けたもので所定の厚さのシート状に構成されている。
【００５８】
即ち、防音材４は、支持部材３３を除くスラブ２１の上に満遍なく敷かれることにより、板状部３２や大引き３１等で発生した空気振動を繊維質性や多孔質性に基づく材質のもので吸収ないしは制振し、また当該空気振動が下方へ漏れるのを気密性に基づく材質のもので防止し、更に当該空気振動を音の反射性に基づく材質のもので上方へ反射することで、当該空気振動が下方のスラブ２１に伝達されるのを防止するようになっている。また、防振材４の厚さとしては、支持部材３３の厚さと同程度又はそれ以下に設定することが好ましい。なお、音の反射性を有するものとしては、アルミ箔シートやアルミ蒸着シートがある。
【００５９】
なお、上記防音材４については、上の階からその下のスラブ２１へ熱が移動するのを遮る効果もある。例えば、繊維質性、多孔質性のものは断熱性を有し、アルミ箔シートやアルミ蒸着シートは、熱の反射性に基づく断熱効果や、気密性に基づく断熱効果がある。
【００６０】
次に、上記構成の二重床構造１の騒音に関する実験結果について説明する。実験条件は以下の通りである。
【００６１】
１．建物：鉄筋コンクリート造５階建
水平方向の住戸の数：６戸
スラブの厚さ：１１０ｍｍ
【００６２】
２．実施例
（１）加振住戸：３０５号
（２）加振位置：図２の斜線で示す約６畳の部屋で、畳の部屋からフローリングの部屋に改修後の当該フローリング面の中央部である。
【００６３】
（３）改修後の床構成部：上記床構成部３と同一の構成であり、次に示す内容になっている。
（ａ）大引き：上記大引き３１と同一の構成のＨ形鋼をピッチ４５０ｍｍで等間隔に６本設置した。
（ｂ）板状部：上記板状部３２と同一の構成のものを各大引き３１の上側のフランジ３１ａの上面に両面テープで固定した。
（ｃ）支持部材：上記支持部材３３と同一の構成のもので図４（ａ）に示すものを、各大引き３１の長手方向の各端部に設置した。各支持部材３３は、大引き３１の下側のフランジ３１ａ及びスラブ２１の上面に両面テープで固定した。
（ｄ）防音材：上記防音材４は設置していない。即ち、スラブ２１上には防音効果を有するものは設置していない。
【００６４】
（４）加振源
（ａ）軽量加振源：軽量床衝撃音発生装置（タッピングマシン）ＦＩ−０１（ＪＩＳＡ１４１８−１：２０００標準軽量衝撃源）（リオン株式会社製）
（ｂ）重量加振源：重量床衝撃音発生装置（バングマシン）ＦＩ−０２（ＪＩＳＡ１４１８−２：２０００標準重量衝撃源）（リオン株式会社製）
【００６５】
（５）受音住戸：２０５号（加振住戸３０５号の真下の住戸）
（６）騒音測定位置：図２の斜線で示す約６畳の畳の部屋の中央部であって、その畳の面から１．２ｍの高さ位置
この位置に騒音計のマイクロホンを上方に向けて設置した。
（７）騒音計：普通騒音計ＮＡ−２９（リオン株式会社製）
【００６６】
３．従来例
（１）加振住戸：３０２号
（２）加振位置：図２の斜線で示す約６畳の部屋で、改修前の畳の部屋における当該畳の面の中央部である。
【００６７】
（３）改修前の床構成部：スラブ２１の上に複数の根太を直接的に設置し、その根太の上に厚さ１２ｍｍのベニヤ合板からなる下地材を設け、その上に畳を設置した構成になっている。
【００６８】
（４）加振源
（ａ）軽量加振源：上記実施例で示したものと同一である。
（ｂ）重量加振源：上記実施例で示したものと同一である。
【００６９】
（５）受音住戸：２０２号（加振住戸３０２号の真下の住戸）
（６）騒音測定位置：上記実施例の場合と同様であり、畳の部屋の中央部で、その畳の面から１．２ｍの高さ位置に騒音計のマイクロホンを上方に向けて設けた。
（７）騒音計：上記実施例で示したものと同一のものである。
【００７０】
図６（ａ）、（ｂ）は、実施例のオクターブ帯域中心周波数分析の実験結果を示し、図６（ｃ）、（ｄ）は、従来例のオクターブ帯域中心周波数分析の実験結果を示す。この実験結果による床衝撃音レベルについてまとめると、次の表１のようになる。
【００７１】
【表１】
2018109306.tif 000003
【００７２】
表１に示すように、本発明を適用した実施例は、従来例に比べて、軽量床衝撃音及び重量床衝撃音の何れについても、騒音低減効果が十分にあることが分かる。
【００７３】
上記のように構成された二重床構造１においては、床構成部３が複数の大引き３１と、これらの上側に配置された板状部３２とを少なくとも備えた構成になっているので、スプーン等の軽量物の落下によって生じる軽量衝撃荷重についても、子供が飛び跳ねて降りる際等の重量物の落下によって生じる重量衝撃荷重についても、板状部３２がそれらの荷重を受けることになる。
【００７４】
この場合、板状部３２に作用した荷重は、大引き３１に伝わり、当該大引き３１の両端部から各支持部材３３を介してスラブ２１に伝達されることになる。この場合、各支持部材３３は、建物２の外壁２２の近傍のスラブ２１の上面及び梁２３の真上のスラブ２１の上面に配置されているので、各支持部材３３に伝達された荷重はスラブ２１にほとんど曲げモーメントを作用させることなく、外壁２２や梁２３に伝達された後、最終的には鉄筋コンクリート造の建物２の基礎部を介して地中に吸収されることになる。
【００７５】
即ち、板状部３２に作用した軽量衝撃荷重、重量衝撃荷重その他の全ての荷重は、地中へと移行する過程で、スラブ２１に曲げモーメントを作用させることがほとんどないので、この曲げモーメントに基づいてスラブ２１が振動するのを防止することができる。
【００７６】
従って、スラブ２１の下側の部屋に生じる軽量床衝撃音及び重量床衝撃音の双方及びその他の種類、大きさ等の衝撃音等について、有効に低減することができる。しかも、従来用いていた複数の支持棒が不要になるので、施工コストの低減及び施工期間の短縮等を図ることができる。
【００７７】
また、例えば畳の部屋をフローリングの部屋に変更するような場合には、通常、軽量床衝撃音及び重量床衝撃音の双方が増加することになるが、当該発明を適用することにより、フローリングに変更した後でも、畳の場合以上に軽量床衝撃音及び重量床衝撃音等を低減することができる。
【００７８】
特に、旧タイプの鉄筋コンクリート造の建物のようにスラブ２１が比較的薄い構造の建物（例えばスラブ２１の厚さが１１０ｍｍの建物）においては、軽量床衝撃音及び重量床衝撃音を低減することで各住戸の品質の向上を図ることができると共に、畳の部屋からフローリングの部屋への変更も自由に行うことができるという利点もある。
【００７９】
更に、支持部材３３がゴム弾性を有するもので構成されているので、特に軽量衝撃荷重の振動を支持部材３３で有効に吸収することができる。従って、軽量床衝撃音については低減効果が大きくなると考えられる。しかも、支持部材３３を所定の厚さのゴム製の板からなる簡単な構造のもので構成することができるので、コストの低減を図ることもできる。
【００８０】
また、大引き３１をＨ形鋼で構成しているので、その大引き３１の上下方向の断面二次モーメントを極めて大きなものとすることができる。即ち、各大引き３１を曲げ剛性の大きなもので構成することができるので、大引き３１の長手方向の中央部に重量衝撃荷重が作用し、当該大引き３１に最大曲げモーメントが作用するような場合でも、当該大引き３１の下方への撓みを所定の値以下に確実に抑えることができる。即ち、床構成部３の上下方向の変位によって、住人が不安定な感じを受けるのを確実に防止することができる。
【００８１】
しかも、各大引き３１については、長手方向の全体が湾曲するように撓むことになるので、その弾性変形によって大きなエネルギを吸収することができる。従って、重量床衝撃音を低減する上で効果があると共に、各大引き３１自体の耐久性の向上を図ることもできる。
【００８２】
そして、一つの大引き３１の長手方向の中央部に、重量衝撃荷重（４０００Ｎ）が下方に作用した状態において、当該中央部における撓みが１〜５ｍｍとなるような曲げ剛性を有するように、各大引き３１を構成しているので、床構成部３について剛性が高く安定した感覚を住人に与えることができると共に、その撓みによる大きな弾性変形エネルギの吸収作用により重量床衝撃音の低減、大引き３１自体の耐久性の向上を図ることができる。
【００８３】
また、当該大引き３１の長手方向の中央部に、重量衝撃荷重（４０００Ｎ）が下方に作用した状態において、長手方向の各端部における撓み角が０．１〜０．５°となるような曲げ剛性を有するように、各大引き３１を構成しているので、これによっても床構成部３について剛性の高い安定した感覚を住人に与えることができる。また、その撓み角に基づく弾性変形エネルギの吸収作用により重量床衝撃音を低減することができると共に、各大引き３１の耐久性の向上を図ることができる。
【００８４】
一方、スラブ２１の上には、支持部材３３を除く部分に、防音材４が設けられているので、床構成部３に発生した振動が空気を介してスラブ２１に伝わるのを防止することができる。従って、階下の部屋に現れる軽量床衝撃音及び重量床衝撃音等を更に低減することができる。
【００８５】
しかも、各支持部材３３がスラブ２１の上面における各大引き３１の両端部に対応する位置にのみ存在することになるので、防音材４をスラブ２１上のほぼ全面に容易に敷き詰めることができる。従って、防音材の施工コストの低減及び施工期間の短縮を図ることができる。また、防音材４が断熱効果を有することから、二重床構造１を有する部屋の冷暖房費の節減を図ることもできる。
【００８６】
なお、上記実施形態においては、大引き３１をＨ形鋼で構成した例を示したが、この大引き３１については、例えば溝形鋼、断面正方形若しくは長方形状の角形鋼管又は断面正方形状若しくは長方形状の木質系の集成材等によって構成してもよい。但し、撓みδ＝１〜５ｍｍ、撓み角θ＝０．１〜０．５°となるように構成することが好ましい。
【００８７】
また、弾性支持部材３３をゴム弾性を有するもので構成したが、例えば皿ばねや、他の板ばね等を用いることでばね弾性を有するもので構成してもよい。
【００８８】
更に、大引き３１の一方の端部に設けた支持部材３３については、スラブ２１における梁２３の真上に位置するように構成した例を示したが、この支持部材３３は梁２３の近傍のスラブ２１の上面に位置するように構成してもよい。
【符号の説明】
【００８９】
１  二重床構造
２  鉄筋コンクリート造の建物
３  床構成部
４  防音材
２１  スラブ
２２  外壁（壁）
２３  梁
３１  大引き
３２  板状部
３３  支持部材
【図１】
2018109306.tif 000004
【図２】
2018109306.tif 000005
【図３】
2018109306.tif 000006
【図４】
2018109306.tif 000007
【図５】
2018109306.tif 000008
【図６】
2018109306.tif 000009
【図７】
2018109306.tif 000010